(57)【要約】【課題】部品点数が少なく安価に、掃除機本体から取り出しやすく、使い勝手のよい電気掃除機用集塵フィルターおよびそれを用いた電気掃除機を提供すること。【解決手段】通気性および可撓性を有する濾材で形成された袋状体６と、前記袋状体６に設けられた吸入口７と、前記吸入口７に取り付けられ塵埃吸込口８を有する支持板９を備え、前記濾材を樹脂不織布で形成し、前記袋状体６に把手部１０を設けたもので、部品点数が少なく安価に、掃除機本体から取り出しやすく、使い勝手のよい電気掃除機用集塵フィルターおよびそれを用いた電気掃除機を提供できる。【選択図】図２
2007330362.tif 000002
【特許請求の範囲】
【請求項１】
通気性および可撓性を有する濾材で形成された袋状体と、前記袋状体に設けられた吸入口と、前記吸入口に取り付けられ塵埃吸込口を有する支持板を備え、前記濾材を樹脂不織布で形成し、前記袋状体に把手部を設けた電気掃除機用集塵フィルター。
【請求項２】
把手部を袋状体に溶着または接着により接合した請求項１記載の電気掃除機用集塵フィルター。
【請求項３】
溶着部または接着部を袋状体の重心位置より下方に設けた請求項１または２記載の電気掃除機用集塵フィルター。
【請求項４】
把手部を通気性および可撓性を有する樹脂不織布で形成した請求項１〜３のいずれか１項に記載の電気掃除機用集塵フィルター。
【請求項５】
把手部を袋状体と一体に形成した請求項１記載の電気掃除機用集塵フィルター。
【請求項６】
吸引風を発する塵埃吸引用の電動送風機と、請求項１〜５のいずれか１項に記載された電気掃除機用集塵フィルターを収納する集塵室を備えた電気掃除機。
【発明の詳細な説明】
【技術分野】
【０００１】
本発明は、樹脂不織布で形成され把手部を備えた電気掃除機用集塵フィルターおよびそれを用いた電気掃除機に関するものである。
【背景技術】
【０００２】
従来、この種の電気掃除機用集塵フィルターおよび電気掃除機について、図６、図７を用いて説明する。
【０００３】
従来の電気掃除機用集塵フィルターは、濾材を紙で形成した袋状体の紙パック２０が主流であり、前記紙パック２０を用いた電気掃除機は、前記紙パック２０を収納するバスケット体２１と、前記バスケット体２１は前記バスケット体２１を取り出すための把手部２２を備えていた。
【０００４】
上記のような構成で、塵埃を紙パック２０に捕集後、紙パック２０を廃棄する際には、バスケット体２１の把手部２２を持ち、バスケット体２１とバスケット体２１に収納されている紙パック２０を集塵室より取り出した後、バスケット体２１から紙パック２０を廃棄するよう構成されている（例えば、特許文献１参照）。
【特許文献１】特開２００２−１１２９３５号公報
【発明の開示】
【発明が解決しようとする課題】
【０００５】
しかしながら、前記従来の構成では、掃除機本体から紙パックを取り出し易くするための把手部を設けるためにバスケット体が必要であり、部品点数が多く、製造原価が上がってしまうという課題を有していた。
【０００６】
また、バスケット体は紙パックを載置および保持するために不通気部を設ける必要があり、紙パック外周に不通気部が増えることから吸込力を低下させてしまうといった問題もあった。
【０００７】
また、バスケット体なしで紙パックを直接集塵室より取り出すようなものでは、濾材である紙を破ってしまい、塵埃が露出するとともに、散乱して不衛生になるといった課題も有するものであった。
【０００８】
本発明は、前記従来の課題を解決するもので、部品点数が少なく安価に且つ、掃除機本体からの取り出し性がより向上でき、使い勝手を向上した電気掃除機用集塵フィルターおよびそれを用いた電気掃除機を提供することを目的とする。
【課題を解決するための手段】
【０００９】
前記従来の課題を解決するために、本発明の集塵フィルターは、通気性および可撓性を有する濾材で形成された袋状体と、前記袋状体に設けられた吸入口と、前記吸入口に取り付けられ塵埃吸込口を有する支持板を備え、前記濾材を樹脂不織布で形成し、前記袋状体に把手部を設けたものである。
【００１０】
これによって、取り出しのための把手部を備えた別部品を必要としないため、部品点数が少なく安価に構成できるとともに、掃除機本体からの取り出し性をより向上できる。
【００１１】
また、濾材を樹脂不織布としたことにより、別部品による集塵フィルターの載置および保持のための不通気部が不要なため、吸込力の低下も防止できるとともに、直接集塵フィルターを摘んで取り出そうとした場合でも、破れることがないため衛生的に取り出しと廃棄ができ、使い勝手をより向上できるものとなる。
【発明の効果】
【００１２】
本発明の電気掃除機用集塵フィルターおよびそれを用いた電気掃除機は、部品点数が少なく安価に且つ、掃除機本体からの取り出し性がより向上でき、使い勝手を向上することができる。
【発明を実施するための最良の形態】
【００１３】
第１の発明は、通気性および可撓性を有する濾材で形成された袋状体と、前記袋状体に設けられた吸入口と、前記吸入口に取り付けられ塵埃吸込口を有する支持板を備え、前記濾材を樹脂不織布で形成し、前記袋状体に把手部を設けたものとすることにより、取り出しのための把手部を備えた別部品を必要としないため、部品点数が少なく安価に構成できるとともに、掃除機本体からの取り出し性をより向上できる。
【００１４】
また、濾材を樹脂不織布としたことにより、別部品による集塵フィルターの載置および保持のための不通気部が不要なため、吸込力の低下も防止できる。
【００１５】
さらに、樹脂不織布は高集塵が可能であるため表面が汚れておらず、樹脂不織布を直接手で触れることに抵抗がなく衛生的であるため直接集塵フィルターを摘んで取り出そうとした場合でも、従来の紙製に比べ強度的にも強く把手部から破れることもないため衛生的に取り出しと廃棄ができ、使い勝手をより向上することができる。
【００１６】
第２の発明は、把手部を袋状体に溶着により接合したものとすることにより、把手部を袋状体の適切な位置に自由に配置でき、さらに濾材が紙の場合ではできない、溶着により強度的に強く把手を接合でき、塵埃が一杯で接合部に強い力が加えられた場合においても剥がれる心配がなく、信頼性の高い把手部を実現でき、使い勝手を向上できる。
【００１７】
また、２枚の樹脂不織布を溶着で袋状体にする場合においては、同工程で把手部も溶着することができ、製造工程を簡素化でき、安価に使い勝手を向上できる。
【００１８】
第３の発明は、溶着部を袋状体の重心位置より下方に設けたものとすることにより、塵埃が一杯で大きく広がり、集塵室外周に圧接された集塵フィルターを取り出す際に、把手部を上方へ引っ張ると重心位置より下方から集塵フィルターに力を加えることができるため、圧接状態を緩和できより弱い力で取り出すことができ、使い勝手を向上できる。
【００１９】
第４の発明は、把手部を通気性および可撓性を有する樹脂不織布で形成したものとすることにより、塵埃を捕集し集塵フィルターが広がった状態で、把手部が集塵フィルターと密着している場合においても、把手部は通気性を有しているため、圧力損失が少なく吸引力の低下を少なくでき、使い勝手を向上できる。
【００２０】
第５の発明は、把手部を袋状体と一体に形成したものとすることにより、別部品を用いることなく把手部を形成でき、さらに安価に且つ使い勝手を向上できる。
【００２１】
第６の発明は、吸引風を発する塵埃吸引用の電動送風機と、請求項１〜５のいずれか１項に記載された電気掃除機用集塵フィルターを収納する集塵室を備えたもので、別部品を用いることなく安価に取り出し易い電気掃除機用集塵フィルターを用いることで、電気掃除機自体の原価を低減し、使い勝手を向上できる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における電気掃除機用集塵フィルターの展開正面図、図２は同掃除機用集塵フィルターの全体斜視図、図３は電気掃除機用フィルターを用いた電気掃除機の断面図を示すものである。
【００２４】
図１〜図３において、掃除機本体１（以下本体１と称す）は、吸引風を発生させる電動送風機２と、電動送風機２の吸引風の上流側には集塵体である集塵フィルター３を収納するための集塵室４を設けている。
【００２５】
次に集塵フィルター３の詳細について説明する。
【００２６】
集塵フィルター３は、２枚の通気性および可撓性を有する樹脂不織布を、溶着部５を超音波溶着し接合して袋状に形成した袋状体６と、袋状体６に設けられた吸入口７と、吸入口７に取り付けられ塵埃吸込口８を有する支持板９と、樹脂不織布で形成された把手部１０を備えている。
【００２７】
把手部１０は、袋状体６の重心位置より下方に位置した把手溶着部１１に、超音波溶着により接合されている。
【００２８】
以上のように構成された電気掃除機用集塵フィルターおよび電気掃除機について、以下その動作、作用を説明する。
【００２９】
本体１を運転すると電動送風機２が駆動し、その吸引風により塵埃が塵埃吸込口８および吸入口７を通過して集塵フィルター３へと捕集される。継続的に電気掃除機を使用すると集塵フィルター３が塵埃で一杯になり集塵フィルター３の廃棄を行うことになる。
【００３０】
集塵フィルター３を廃棄する場合には、把手部１０を手で持ち集塵フィルター３を集塵室４より上方へ引き出した後、そのまま集塵フィルター３の廃棄を行うことができる。
【００３１】
この際、集塵フィルター３は樹脂不織布であるため、紙パックと比較し強度的に強く、把手部１０の接合部から破れることもなく、さらに高集塵であるため表面が汚れておらず、樹脂不織布を直接手で触れることに抵抗がなく衛生的であるため、部品点数が少なく安価に、集塵室４から取り出すことができる。
【００３２】
さらに、把手部１０は袋状体６に超音波溶着により接合されているので、濾材が紙の場合ではできない、超音波溶着により強度的に強く把手を接合できており、強い力を加えられた場合においても剥がれや破れの心配がなく、信頼性の高い把手部１０を実現でき、使い勝手を向上できる。また、２枚の樹脂不織布を超音波溶着で袋状体６に形成する工程と同工程で把手部１０も超音波溶着することができ、製造工程を簡素化できる。
【００３３】
また、把手溶着部１１を袋状体６の重心位置より下方に設けているので、取り出しのために把手部１０を上方へ引っ張ると重心位置より下方から集塵フィルター３に力を加えることができるため、集塵室４との圧接状態を緩和できより弱い力で取り出すことができる。
【００３４】
さらに、把手部１０は通気性および可撓性を有する樹脂不織布で形成されているので、集塵フィルター３が広がった状態で、把手部１０が集塵フィルター３と密着している場合においても、把手部１０は通気性を有しているため、圧力損失が少なく吸引力低下を少なくできる。
【００３５】
上記のような集塵フィルター３を用いることにより、別部品を用いることなく安価に使い勝手を向上でき、電気掃除機自体の原価も低減できる。
【００３６】
なお、上記の実施の形態では、把手部１０を袋状体６に超音波溶着で接合したもので説明したが、高周波溶着または振動溶着等でもよく、或いは接着剤等による接着でもよい。要は、樹脂不織布同士の接合強度を確保できればよいことはいうまでもない。
【００３７】
（実施の形態２）
図４は本発明の第２の実施の形態における電気掃除機用集塵フィルターの展開正面図、図５は同掃除機用集塵フィルターの全体斜視図を示すものである。
【００３８】
なお、実施の形態１と同一部分については同一符号を付してその説明を省略する。
【００３９】
図４、図５において、集塵フィルター３は、通気性および可撓性を有する樹脂不織布で形成された把手部１０を一体的に備えた集塵フィルター前部１２と、同樹脂不織布で形成された集塵フィルター後部１３を溶着部５部分で超音波溶着し接合して袋状に形成した袋状体６を構成している。
【００４０】
以上のように構成された電気掃除機用集塵フィルターおよび電気掃除機について、以下その動作、作用を説明する。
【００４１】
集塵フィルター３が塵埃で一杯になり集塵フィルター３の廃棄を行う際、把手部１０を手で持ち集塵フィルター３を集塵室４より引き出した後、そのまま集塵フィルター３の廃棄を行うことができる。この時、把手部１０は集塵フィルター３と一体に形成されているため、別部品を用いることなく把手部１０を形成でき、使い勝手を向上できる。
【００４２】
さらに、把手部１０を袋状体６に溶着または接着する工程が省略できるので、組立て性も向上し、更に安価なものとすることができるものである。
【産業上の利用可能性】
【００４３】
以上のように、本発明にかかる電気掃除機用集塵フィルターおよびそれを用いた電気掃除機は、部品点数が少なく安価に且つ、集塵室からの取り出し性がより向上でき、使い勝手を向上できるため、家庭、業務用等の電気掃除機に特に有用である。
【図面の簡単な説明】
【００４４】
【図１】本発明の実施の形態１を示す電気掃除機用集塵フィルターの展開正面図
【図２】同電気掃除機用フィルターの全体斜視図
【図３】同電気掃除機用フィルターを用いた電気掃除機の断面図
【図４】本発明の実施の形態２を示す電気掃除機用集塵フィルターの展開正面図
【図５】同電気掃除機用フィルターの全体斜視図
【図６】従来の電気掃除機のバスケット斜視図
【図７】同電気掃除機の紙パック収納時のバスケット断面図
【符号の説明】
【００４５】
３  集塵フィルター
４  集塵室
５  溶着部
６  袋状体
７  吸入口
８  塵埃吸込口
９  支持板
１０  把手部
１１  把手溶着部
１２  集塵フィルター前部
１３  集塵フィルター後部
【図１】
2007330362.tif 000003
【図２】
2007330362.tif 000004
【図３】
2007330362.tif 000005
【図４】
2007330362.tif 000006
【図５】
2007330362.tif 000007
【図６】
2007330362.tif 000008
【図７】
2007330362.tif 000009